(57)【特許請求の範囲】
【請求項１】
面材の下縁部に装着される下方フレームの面材収容溝及び前記面材の側縁部に装着される側方フレームの面材収容溝に配置され、前記面材収容溝のそれぞれに収容した面材の端面と前記面材収容溝の内部見込み面との間に隙間を設ける面材保持部品であって、
前記下方フレームの面材収容溝に配置される下方保持部分と、前記下方保持部分の一端部から屈曲する方向に延在し、前記側方フレームの面材収容溝に配置される側方保持部分とを一体に成形し、
前記下方保持部分には、前記面材収容溝の内部見込み面に対向するフレーム対向面に開口し、かつ前記下方フレームの長手方向に沿って貫通する下方溝状通路を設けるとともに、前記面材の端面に対向する面材対向面から前記下方溝状通路に貫通する排水孔を形成し、
前記側方保持部分には、前記面材収容溝の内部見込み面に対向するフレーム対向面に開口し、かつ前記側方フレームの長手方向に沿って貫通するとともに、前記下方溝状通路に連通する側方溝状通路を設けたことを特徴とする面材保持部品。
【請求項２】
前記側方保持部分において面材の端面に対向する面材対向面には、前記側方溝状通路に連通する窓孔を開口させたことを特徴とする請求項１に記載の面材保持部品。
【請求項３】
前記下方保持部分の排水孔において前記面材対向面に開口する端部には、上方に向けて漸次開口面積が増大する案内部を形成したことを特徴とする請求項１に記載の面材保持部品。
【請求項４】
請求項１〜請求項３のいずれか一つに記載した面材保持部品を前記下方フレームと前記側方フレームとの入隅部に配置したことを特徴とする建具。
【請求項５】
前記下方フレームの面材収容溝を構成する一対の収容ヒレ部の互いに対向する部位から前記下方フレームの長手方向に沿って延在するリブを突設する一方、前記面材保持部品の下方保持部分を前記リブと前記面材収容溝の内部見込み面との間に圧入可能となる寸法に形成し、さらに前記側方保持部分において前記下方保持部分との連結部には前記リブが圧入されるリブ圧入溝を形成したことを特徴とする請求項４に記載の建具。
【請求項６】
前記下方保持部分において前記下方フレームに対向する部位に前記下方保持部分のフレーム対向面から突出するように係合爪部を形成するとともに、前記下方フレームにおいて前記係合爪部に対応する部位に排水用切欠を形成し、前記排水用切欠の開口周縁部に前記係合爪部を係合させたことを特徴とする請求項５に記載の建具。
【発明の詳細な説明】
【技術分野】
【０００１】
本発明は、枠や框等のフレームとガラス等の面材の端面との間に隙間を設ける面材保持部品及び建具に関するものである。
【背景技術】
【０００２】
従来より、ガラス等、比較的重量のある面材の四周に框等のフレームを装着する場合には、フレームの面材収容溝にセッティングブロックと称される面材保持部品を配設するようにしている（例えば、特許文献１参照）。面材保持部品は、例えばポリプロピレンや合成ゴム等の樹脂によって直方体のブロック状に構成されており、面材とフレームとの間のクッション材として機能するものである。面材保持部品を備えた建具によれば、面材をガタ付くことなく保持することができるばかりでなく、外部からの衝撃が直接面材に伝達されるのを防止できるため、面材の耐衝撃性を向上することができるようになる。
【０００３】
この種の面材保持部品は、面材の下縁部に装着される下方フレームや面材の側縁部に装着される側方フレームに配置されるのが一般的である。下方フレームに配置された面材保持部品は、主に面材の重量を支持するように機能し、側方フレームに配置された面材保持部品は、主にフレームに対する面材の左右の移動を規制するように機能する。従って、フレームに対して面材をより確実に保持するには、下方フレーム及び側方フレームのそれぞれに面材保持部品を配置することが好ましい。
【先行技術文献】
【特許文献】
【０００４】
【特許文献１】特開平６−１９３３４９号公報
【発明の概要】
【発明が解決しようとする課題】
【０００５】
ところで、下方フレーム及び側方フレームにそれぞれ面材保持部品を配置する場合には、取り扱い部品点数が増えるため、建具の組立作業が煩雑化するのは否めない。こうした部品点数の問題は、下方フレームに配置する面材保持部品と側方フレームに配置する面材保持部品とを一体に成形することで解決することが可能である。すなわち、下方フレームに配置する部分と側方フレームに配置する部分とを一体に成形した面材保持部品を用いれば、部品点数の増大に伴う問題を招来することなくフレームに対して面材をより確実に保持することが可能となる。
【０００６】
ここで、下方フレームの面材収容溝及び側方フレームの面材収容溝には、それぞれの内部見込み面に外部に連通した連通孔が設けられている場合が多い。この連通孔は、雨水や結露水がフレームの面材収容溝に浸入した場合に、効率よく外部に排水するためのものである。また、面材収容溝の内部見込み面に連通孔を設けた建具においては、面材収容溝に外部の空気を導入することにより、面材収容溝の内部を外部の空気とほぼ等圧の状態とすることができるため、面材収容溝への水の浸入を防止することができるようになる。
【０００７】
しかしながら、上述したように、下方フレームに配置する部分と側方フレームに配置する部分とを一体に成形した面材保持部品を配置した場合には、面材保持部材が面材収容溝に浸入した水の移動を妨げるおそれがある。また、面材保持部品は、下方フレームの面材収容溝と側方フレームの面材収容溝との間の通気を妨げる要因となるため、外部の空気に対してフレームの面材収容溝が低い圧力の状態となるおそれがある。
【０００８】
これらの結果、下方フレームに配置する部分と側方フレームに配置する部分とを一体に成形した面材保持部品を配置した建具にあっては、面材収容溝に水が浸入し易くなるばかりでなく、浸入した水を効率よく外部に排出することができない事態が生じ得る。
【０００９】
本発明は、上記実情に鑑みて、面材収容溝に浸入した水の排水機能を損なう事態や建具の組立作業を煩雑化する事態を招来することなく面材を確実に保持することのできる面材保持部品及び建具を提供することを目的とする。
【課題を解決するための手段】
【００１０】
上記目的を達成するため、本発明に係る面材保持部品は、面材の下縁部に装着される下方フレームの面材収容溝及び前記面材の側縁部に装着される側方フレームの面材収容溝に配置され、前記面材収容溝のそれぞれに収容した面材の端面と前記面材収容溝の内部見込み面との間に隙間を設ける面材保持部品であって、前記下方フレームの面材収容溝に配置される下方保持部分と、前記下方保持部分の一端部から屈曲する方向に延在し、前記側方フレームの面材収容溝に配置される側方保持部分とを一体に成形し、前記下方保持部分には、前記面材収容溝の内部見込み面に対向するフレーム対向面に開口し、かつ前記下方フレームの長手方向に沿って貫通する下方溝状通路を設けるとともに、前記面材の端面に対向する面材対向面から前記下方溝状通路に貫通する排水孔を形成し、前記側方保持部分には、前記面材収容溝の内部見込み面に対向するフレーム対向面に開口し、かつ前記側方フレームの長手方向に沿って貫通するとともに、前記下方溝状通路に連通する側方溝状通路を設けたことを特徴とする。
【００１１】
この発明によれば、下方保持部分の下方溝状通路及び側方保持部分の側方溝状通路が互いに連通し、それぞれの面材収容溝の内部見込み面に対して開口するため、面材収容溝に浸入した水の移動が妨げられたり、下方フレームの面材収容溝と側方フレームの面材収容溝との間の通気が妨げられるおそれがない。従って、下方保持部分と側方保持部分とを一体に成形した面材保持部材を下方フレームと側方フレームとの入隅部に配置することにより、建具の組立作業を煩雑化する事態を招来することなく面材を確実に保持することが可能となる。
【００１２】
また本発明は、上述した面材保持部品において、前記側方保持部分において面材の端面に対向する面材対向面には、前記側方溝状通路に連通する窓孔を開口させたことを特徴とする。
【００１３】
この発明によれば、窓孔を通じても下方フレームと側方フレームとの間の通気が確保されるため、面材収容溝を確実に外部の空気とほぼ等圧の状態とすることができる。
【００１４】
また本発明は、上述した面材保持部品において、前記下方保持部分の排水孔において前記面材対向面に開口する端部には、上方に向けて漸次開口面積が増大する案内部を形成したことを特徴とする。
【００１５】
この発明によれば、下方保持部分の面材対向面に面材が配置された場合にも排水孔が塞がれる事態を防止することができる。
【００１６】
また本発明に係る建具は、上述したいずれか一つに記載した面材保持部品を前記下方フレームと前記側方フレームとの入隅部に配置したことを特徴とする。
【００１７】
この発明によれば、下方保持部分の下方溝状通路及び側方保持部分の側方溝状通路が互いに連通し、それぞれの面材収容溝の内部見込み面に対して開口するため、面材収容溝に浸入した水の移動が妨げられたり、下方フレームの面材収容溝と側方フレームの面材収容溝との間の通気が妨げられるおそれがない。従って、下方保持部分と側方保持部分とを一体に成形した面材保持部材を下方フレームと側方フレームとの入隅部に配置することにより、建具の組立作業を煩雑化する事態を招来することなく面材を確実に保持することが可能となる。
【００１８】
また、本発明は、上述した建具において、前記下方フレームの面材収容溝を構成する一対の収容ヒレ部の互いに対向する部位から前記下方フレームの長手方向に沿って延在するリブを突設する一方、前記面材保持部品の下方保持部分を前記リブと前記面材収容溝の内部見込み面との間に圧入可能となる寸法に形成し、さらに前記側方保持部分において前記下方保持部分との連結部には前記リブが圧入されるリブ圧入溝を形成したことを特徴とする。
【００１９】
この発明によれば、下方フレームについては面材収容溝の開口端部から下方保持部分を圧入することにより、上方への脱落が阻止された状態で面材保持部品を取り付けることができる。
【００２０】
また本発明は、上述した建具において、前記下方保持部分において前記下方フレームに対向する部位に前記下方保持部分のフレーム対向面から突出するように係合爪部を形成するとともに、前記下方フレームの面材収容溝において前記係合爪部に対応する部位に排水用切欠を形成し、前記排水用切欠の開口周縁部に前記係合爪部を係合させたことを特徴とする。
【００２１】
この発明によれば、下方フレームの面材収容溝に対して開口端部から下方保持部分を挿入した場合に下方保持部分の係合爪部が排水用切欠の開口周縁部に係合することにより、下方フレームから面材保持部品が脱落するのを防止することができる。
【発明の効果】
【００２２】
本発明によれば、下方保持部分の下方溝状通路及び側方保持部分の側方溝状通路が互いに連通し、それぞれの面材収容溝の内部見込み面に対して開口するため、面材収容溝に浸入した水の移動が妨げられたり、下方フレームの面材収容溝と側方フレームの面材収容溝との間の通気が妨げられるおそれがない。従って、下方保持部分と側方保持部分とを一体に成形した面材保持部材を下方フレームと側方フレームとの入隅部に配置することにより、建具の組立作業を煩雑化する事態を招来することなく面材を確実に保持することが可能となる。
【図面の簡単な説明】
【００２３】
【図１】図１は、本発明の実施の形態である面材保持部品を適用した建具を室内側から見た正面図である。
【図２】図２は、図１に示した建具の要部を拡大した横断面図である。
【図３】図３は、図１に示した建具の要部を拡大した縦断面図である。
【図４】図４は、図１に示した建具の要部を拡大した一部破断正面図である。
【図５】図５は、図１に示した建具に適用する面材保持部品と下方フレームとを示す拡大縦断面図である。
【図６】図６は、図１に示した建具に適用する面材保持部品と下方フレーム及び側方フレームとを示す拡大一部破断正面図である。
【図７】図７は、図１に示した建具に適用する面材保持部品の斜視図である。
【図８】図８は、図７に示した面材保持部品の平面図である。
【図９】図９は、図７に示した面材保持部品の側面図である。
【発明を実施するための形態】
【００２４】
以下、添付図面を参照しながら本発明に係る面材保持部品及び建具の好適な実施の形態について詳細に説明する。
【００２５】
図１〜図４は、本発明の実施の形態である面材保持部品を適用した建具を示したものである。ここで例示する建具は、開口枠１０に対して２枚の障子２０を左右方向に沿ってスライド可能に支持させた引き違い窓である。
【００２６】
開口枠１０は、上枠１１、下枠１２及び左右の縦枠１３を四周枠組みすることによって矩形状に構成してある。２枚の障子２０は、いずれも矩形状を成すガラス（面材）２１の四周に上框２２、下框（下方フレーム）２３及び左右の縦框（側方フレーム）２４を装着することによって構成したものである。これらの障子２０は、互いに戸尻側となる縦框２４を重ね合わせた状態で左右に並設した場合に開口枠１０を閉じることのできる大きさに形成してある。開口枠１０を構成する枠１１，１２，１３及び障子２０を構成する框２２，２３，２４は、アルミニウムやアルミニウム合金等の金属の押し出し形材から成るもので、それぞれが全長にわたってほぼ一様な断面形状を有するように構成してある。
【００２７】
それぞれの框２２，２３，２４には、ガラス２１の端面に対向する見込み面にガラス収容溝２２ａ，２３ａ，２４ａが設けてある。ガラス収容溝２２ａ，２３ａ，２４ａは、矩形の筒状を成す框基部２２ｂ，２３ｂ，２４ｂの両側縁部から収容ヒレ部２２ｃ，２３ｃ，２４ｃを突出するように設けることによって収容ヒレ部２２ｃ，２３ｃ，２４ｃの相互間に構成したものである。
【００２８】
ガラス２１の側縁部に装着される縦框２４には、図２及び図４に示すように、框基部２４ｂにおいてガラス収容溝２４ａの内部見込み面２４ｄを構成する支持壁部２４ｅに連通孔２４ｆが形成してある。連通孔２４ｆは、支持壁部２４ｅを貫通するように形成した開口であり、框基部２４ｂの中空部とガラス収容溝２４ａの内部とを連通している。縦框２４の両端部は、それぞれ端面が開口した構成である。従って、支持壁部２４ｅの連通孔２４ｆ及び框基部２４ｂの中空部を通じてガラス収容溝２４ａと縦框２４の外部との間が互いに連通された状態となる。
【００２９】
ガラス２１の下縁部に装着される下框２３には、図３及び図４に示すように、長手方向の端部に戸車ユニット３０が設けてあるとともに、框基部２３ｂにおいてガラス収容溝２３ａの内部見込み面２３ｄを構成する支持壁部２３ｅに排水用切欠２３ｆが形成してある。
【００３０】
戸車ユニット３０は、ユニット本体３１の内部に戸車３２を回転可能に配設したものである。この戸車ユニット３０は、戸車３２が下框２３の長手方向に直交する水平軸を中心として回転可能となる状態でユニット本体３１を介して下框２３の框基部２３ｂに収容してある。すなわち、下框２３の框基部２３ｂには、下面を構成する底壁部２３ｇの両端部に収容孔２３ｈが開口しており、収容孔２３ｈを介して内部に戸車ユニット３０が収容してある。下框２３に配設した戸車ユニット３０は、戸車３２の下部周面が框基部２３ｂの収容孔２３ｈを介して外部に露出した状態にあり、図示せぬ下枠１２のレール上を転動することが可能である。排水用切欠２３ｆは、連通孔２４ｆと同様、支持壁部２３ｅを貫通するように形成した開口であり、戸車ユニット３０を収容した収容孔２３ｈの内部に連通している。
【００３１】
また、下框２３には、図５に示すように、ガラス収容溝２３ａを構成する一対の収容ヒレ部２３ｃにそれぞれリブ２３ｊが設けてある。リブ２３ｊは、下框２３の長手方向に沿って水平に延在する突出部であり、収容ヒレ部２３ｃの互いに対向する部位の全長にわたって形成してある。
【００３２】
一方、この建具には、図１に示すように、下框２３と縦框２４との接合部にそれぞれセッティングブロック（面材保持部品）４０が配設してある。セッティングブロック４０は、図７〜図９に示すように、薄板状を成す下方保持部分４１と、下方保持部分４１の一端部から上方に向けて略直角に突出した側方保持部分４２とを有し、側面視が略Ｌ字状となるように構成したもので、ポリプロピレン等の樹脂によって一体に成形してある。
【００３３】
下方保持部分４１は、図６に示すように、下框２３のガラス収容溝２３ａにおいてリブ２３ｊと内部見込み面２３ｄとの間に圧入することのできる高さを有し、かつ一対の収容ヒレ部２３ｃの間に挿入することのできる幅を有するように形成してある。下方保持部分４１において下框２３の長手方向に沿った寸法は、一方の端面を下框２３の端面に合致させた場合に支持壁部２３ｅに形成した排水用切欠２３ｆの全面を覆うことのできる長さに形成してある。
【００３４】
側方保持部分４２は、下方保持部分４１を下框２３のガラス収容溝２３ａに配置し、下方保持部分４１の下面（フレーム対向面）４１ａを内部見込み面２３ｄに当接させた場合に、下框２３の収容ヒレ部２３ｃよりも上方に突出する一方、縦框２４に形成した連通孔２４ｆよりも高さの低い寸法を有している。側方保持部分４２の幅は、下方保持部分４１とほぼ同一の寸法を有するように構成してある。側方保持部分４２において下方保持部分４１との連結部には、圧入溝４３が設けてある。圧入溝４３は、下方保持部分４１の長手方向に沿って延在したものである。この圧入溝４３は、下方保持部分４１を下框２３のガラス収容溝２３ａに配置し、下方保持部分４１の下面４１ａを内部見込み面２３ｄに当接させた場合に、下框２３のリブ２３ｊに対向する高さに、リブ２３ｊを圧入することのできる寸法を有して構成してある。
【００３５】
このセッティングブロック４０には、下方保持部分４１に下方溝状通路４４、排水孔４５及び弾性係合爪部（係合爪部）４６が設けてあり、側方保持部分４２に側方溝状通路４７、ガイド面４８及び窓孔４９が設けてある。
【００３６】
下方溝状通路４４は、図５〜図８に示すように、下方保持部分４１の下面４１ａに設けた凹溝であり、下方保持部分４１の長手方向に沿って延在し、下方保持部分４１の下面４１ａ及び両端面に開口している。排水孔４５は、下方溝状通路４４を下方保持部分４１の上面（面材対向面）４１ｂに連通させるための溝状の開口である。本実施の形態では、下方保持部分４１の短手方向に沿った複数の排水孔４５を下方保持部分４１の長手方向に沿って複数並設するようにしている。それぞれの排水孔４５には、案内部４５ａが設けてある。案内部４５ａは、下方溝状通路４４から下方保持部分４１の上面４１ｂに向かうに従って漸次開口面積が増大するように構成した部分である。本実施の形態では、排水孔４５の開口が下方保持部分４１の短手方向全長にわたるように案内部４５ａが形成してある。この案内部４５ａを構成する面は、必ずしも平面である必要はなく、湾曲した面であっても良い。弾性係合爪部４６は、図５〜図９に示すように、下方溝状通路４４の内部から下方に向けて延在した細片状部分であり、弾性変形することによって延在端部が下方保持部分４１の下面４１ａから出没可能となるように形成してある。本実施の形態では、下方保持部分４１の他端部から下方に向けて漸次一端部側に近接するように傾斜した弾性係合爪部４６を設けるようにしている。この弾性係合爪部４６は、下方保持部分４１において側方保持部分４２を設けた一方の端面を下框２３の端面に合致させた場合に、延在端部が排水用切欠２３ｆの内部に配置されるように下方保持部分４１に設けてある。
【００３７】
側方溝状通路４７は、図５〜図８に示すように、側方保持部分４２の外側面（フレーム対向面）４２ａに設けた凹溝であり、側方保持部分４２の長手方向に沿って延在し、側方保持部分４２の外側面４２ａ及び両端面に開口している。側方溝状通路４７は、下方溝状通路４４と同じ幅を有しており、図６からも明らかなように、側方保持部分４２と下方保持部分４１との出隅部において互いに連通している。ガイド面４８は、図６、図７、図９に示すように、側方保持部分４２の内側面（面材対向面）４２ｂに形成した傾斜面であり、上方に向かうに従って側方保持部分４２の板厚が漸次小さくなるように形成してある。窓孔４９は、側方保持部分４２の内側面４２ｂから側方溝状通路４７に開口するように形成した矩形状の貫通孔である。
【００３８】
上記のように構成したセッティングブロック４０は、予め下框２３の両端部に取り付けた状態でガラス２１の下縁部に装着し、その後、縦框２４をガラス２１の側縁部に装着することにより、下方保持部分４１が下框２３とガラス２１の端面との間に介在し、かつ側方保持部分４２が縦框２４とガラス２１の端面との間に介在した状態となる。セッティングブロック４０を下框２３に取り付ける場合には、下框２３の端面から下方保持部分４１をガラス収容溝２３ａの内部見込み面２３ｄとリブ２３ｊとの間に圧入すれば良い。
【００３９】
すなわち、下方保持部分４１を下框２３の端面から圧入すると、ガラス収容溝２３ａの内部見込み面２３ｄとリブ２３ｊとの隙間がガイドとなって下方保持部分４１が漸次内部に挿入されることになる。この間、弾性係合爪部４６は、内部見込み面２４ｄに押圧され、弾性的に変形することによって下方保持部分４１の下面４１ａよりも上方に撓んだ状態となる。その後、リブ２３ｊが圧入溝４３に圧入され、下框２３に対する下方保持部分４１の上方への移動が阻止された状態となる。下方保持部分４１の端面が下框２３の端面と一致した時点で弾性係合爪部４６が下框２３の排水用切欠２３ｆに合致し、弾性復元力によってその内部に突出した状態となる。この状態においては、弾性係合爪部４６の延在端部が排水用切欠２３ｆの開口周縁部に対向する結果、下框２３に対する下方保持部分４１の抜去方向への移動が阻止される。
【００４０】
従って、この状態から下框２３のガラス収容溝２３ａにガラス２１を収容させた場合にも下框２３からセッティングブロック４０が脱落するおそれはない。また、セッティングブロック４０の側方保持部分４２に形成したガイド面４８がガイドとなるため、ガラス２１をガラス収容溝２３ａへ収容する際の作業も容易となる。
【００４１】
上記のように下框２３とガラス２１との間及び縦框２４とガラス２１との間にセッティングブロック４０を介在させた建具においては、ガラス２１をガタ付くことなく保持することができるばかりでなく、外部からの衝撃が直接ガラス２１に伝達されるのを防止できるため、ガラス２１の耐衝撃性を向上することができるようになる。しかも、上述したように、下框２３とガラス２１との間に介在される下方保持部分４１と縦框２４とガラス２１との間に介在される側方保持部分４２とが一体であるため、建具を組み立てる際の作業が煩雑化することもない。
【００４２】
さらに、下方保持部分４１の下方溝状通路４４と側方保持部分４２の側方溝状通路４７とが互いに連通し、かつガラス収容溝２３ａ，２４ａの内部見込み面２３ｄ，２４ｄに対して開口するため、ガラス収容溝２３ａ，２４ａに浸入した水の移動が妨げられたり、下框２３のガラス収容溝２３ａと縦框２４のガラス収容溝２４ａとの間の通気が妨げられるおそれがない。これにより、下框２３のガラス収容溝２３ａ及び縦框２４のガラス収容溝２４ａは、縦框２４の連通孔２４ｆや下框２３の排水用切欠２３ｆを介して導入される空気により、外部の空気とほぼ等圧の状態を維持することができ、ガラス収容溝２３ａ，２４ａへの水の浸入を防止することが可能となる。また、縦框２４のガラス収容溝２４ａや下框２３のガラス収容溝２３ａに浸入した水は、側方溝状通路４７及び下方溝状通路４４を通じて、あるいは下方保持部分４１の排水孔４５を通じて下框２３の排水用切欠２３ｆに確実に案内されることになり、排水用切欠２３ｆから戸車ユニット３０を収容した収容孔２３ｈを介して外部に効率よく排出されることになる。
【００４３】
尚、上述した実施の形態では、引き違い窓を例示しているが、開き窓やすべり出し窓、はめ殺し窓等、その他の形式の建具にも同様に適用することが可能である。はめ殺し窓の場合には、必ずしも框とガラスとの間に面材保持部品を介在させる必要はなく、枠とガラスとの間に面材保持部品を介在させるようにしても良い。また、面材としてガラスを例示しているが、ガラス以外の面材にも適用可能である。尚、下框２３にのみ排水用切欠２３ｆを設けるようにしているが、縦框の下方部分にのみ排水用切欠を設けるようにしても良いし、両框に排水用切欠を設けても構わない。
【００４４】
また、上述した実施の形態では、側方保持部分４２に窓孔４９を設けるようにしているため、窓孔４９を通じても下方フレーム２３と側方フレーム２４との間の通気を確保して面材収容溝２３ａ，２４ａを確実に外部の空気とほぼ等圧の状態とすることができるが、窓孔４９は必ずしも設ける必要はない。
【００４５】
さらに、上述した実施の形態では、下框２３のガラス収容溝２３ａを構成する一対の収容ヒレ部２３ｃの互いに対向する部位から下框２３の長手方向に沿って延在するリブ２３ｊを突設する一方、セッティングブロック４０の下方保持部分４１をリブ２３ｊと内部底面２３ｄとの間に圧入可能となる寸法に形成し、かつ側方保持部分４２において下方保持部分４１との連結部にリブ２３ｊが圧入されるリブ圧入溝４３を形成しているため、さらには、下方保持部分４１において下框２３に対向する部位に係合爪部４６を形成するとともに、下框において係合爪部４６に対応する部位に排水用切欠２３ｆを形成し、排水用切欠２３ｆの開口周縁部に係合爪部４６を係合させるようにしているため、取り付けのための部品を要することなく、セッティングブロック４０を下框２３に保持させることが可能である。しかしながら、本発明は必ずしもこれに限定されず、セッティングブロック４０をネジ止めしたり、両面テープや接着剤を用いて接着するようにしてもかまわない。
【符号の説明】
【００４６】
２１  ガラス、２３  下框、２４  縦框、２３ａ，２４ａ  ガラス収容溝、２３ｃ，２４ｃ  収容ヒレ部、２３ｄ，２４ｄ  内部見込み面、２３ｆ  排水用切欠、２３ｊ  リブ、２４ｆ  連通孔、４０  セッティングブロック、４１  下方保持部分、４１ａ  下面、４１ｂ  上面、４２  側方保持部分、４２ａ  外側面、４２ｂ  内側面、４３  圧入溝、４４  下方溝状通路、４５  排水孔、４５ａ  案内部、４６  弾性係合爪部、４７  側方溝状通路、４９  窓孔
【図１】
0006374802.tif 000002
【図２】
0006374802.tif 000003
【図３】
0006374802.tif 000004
【図４】
0006374802.tif 000005
【図５】
0006374802.tif 000006
【図６】
0006374802.tif 000007
【図７】
0006374802.tif 000008
【図８】
0006374802.tif 000009
【図９】
0006374802.tif 000010